(57)【特許請求の範囲】
【請求項１】
再生可能エネルギーから得られる直流電力を第１の電力系統に同期する交流電力に変換
し、当該交流電力を第１の電力系統へ重畳させた後負荷へ供給するインバータ回路を備え
た系統連系装置において、
第２の電力系統に繋がり、かつこの第２の電力系統から得られる電力を前記直流電力に
併合可能に変換して前記インバータ回路へ供給すると共に、前記直流電力の少なくとも一
部を第２の電力系統に同期する交流電力に変換し、当該交流電力を第２の電力系統へ重畳
可能に成す入出力回路を備え、
前記入出力回路は前記直流電力と第２の電力系統とを繋げる双方向変換回路を有し、前
記再生可能エネルギーから得られる直流電力よりも前記負荷の消費電力が大きい場合、前
記双方向変換回路で第２の電力系統の交流電力を整流した直流電力を前記インバータ回路
へ出力し、前記再生可能エネルギーから得られる直流電力よりも前記負荷の消費電力が小
さい場合、この直流電力の少なくとも一部を前記双方向変換回路で第２の電力系統へ重畳
させることを特徴とする系統連系装置。
【請求項２】
前記インバータ回路は前段に直流昇圧回路を有してこの昇圧後に直流電力の安定化を
成す構成を備えることを特徴とする請求項１に記載の系統連系装置。
【請求項３】
再生可能エネルギーから得られる直流電力を第１の電力系統に同期する交流電力に変換
し、当該交流電力を第１の電力系統へ重畳させた後負荷へ供給するインバータ回路を備え
た系統連系装置において、
第２の電力系統に繋がり、かつこの第２の電力系統から得られる電力を前記直流電力に
併合可能に変換して前記インバータ回路へ供給すると共に、前記直流電力の少なくとも一
部を第２の電力系統に同期する交流電力に変換し、当該交流電力を第２の電力系統へ重畳
可能に成す入出力回路と第１の電力系統からの電力を前記入出力回路へ供給する変換回路
を備え、
前記入出力回路は前記直流電力と第２の電力系統とを繋げる双方向変換回路を有し、前
記再生可能エネルギーから得られる直流電力よりも前記負荷の消費電力が大きい場合、前
記双方向変換回路で第２の電力系統の交流電力を整流した直流電力を前記インバータ回路
へ出力し、前記再生可能エネルギーから得られる直流電力よりも前記負荷の消費電力が小
さい場合、この直流電力の少なくとも一部を前記双方向変換回路で第２の電力系統へ重畳
させることを特徴とする系統連系装置。
【請求項４】
前記変換回路は前記インバータ回路を利用することを特徴とする請求項３に記載の系統
連系装置。
【発明の詳細な説明】
【技術分野】
【０００１】
本発明は、再生可能エネルギーから得られる直流電力を交流電力に変換して、この交流
電力を電力系統に供給する系統連系装置に関する。
【背景技術】
【０００２】
再生可能エネルギーを利用した発電装置を導入しやすい電力供給システムとしてマイク
ログリッドと呼ばれる小規模な電力系統が検討されている。マイクログリッドでは、太陽
光発電システムや風力発電システム等の発電システムと電力を消費する需要家（工場、学
校、住宅、店舗など）とが商用電力系統とは別の閉じた配電系統の中で接続されている。
この発電システムは、メガワットを超えるような高出力の発電システムや、需要家に設け
られるような数キロ〜十数キロワットクラスの低出力の発電システムも含まれる。マイク
ログリッド内の発電システムは、需要家との間で電力の需要と供給がバランスするように
発電を行う。
【０００３】
このようなマイクログリッドは、再生可能エネルギーを利用した発電装置の普及が進む
と、マイクログリッド内での電力の利用料金（買電料金、売電料金）が商用電力系統より
も有利になることが予想される。
【０００４】
一方、再生可能エネルギー（例えば、太陽光、風力、水力など）から得られる直流電力
を商用電力系統に同期する交流電力に変換する系統連系装置が提案されている。通常の系
統連系装置は、商用電力系統に接続され、変換した交流電力を商用電力系統へ重畳させた
後負荷へ供給する。近年では、様々なエネルギー源から得られる直流電力や交流電力を入
力し、それらの電力をまとめて商用電力系統へ重畳する系統連系装置が提案されている（
特許文献１）。
【０００５】
【特許文献１】特開２０１１−２５０６０５号公報
【０００６】
系統連系装置は、マイクログリッドの発電システムにも利用される。この場合、系統連
系装置は、商用電力系統ではなくマイクログリッドに接続される。これにより、需要家で
はマイクログリッドの電力を利用したり、発電した電力をマイクログリッドに供給するこ
とができる。
【発明の開示】
【発明が解決しようとする課題】
【０００７】
しかしながら、マイクログリッドでは、発電システムは、需要家との間で電力の需要と
供給がバランスするように発電を行わなければならない。このため、マイクログリッドの
様な電力系統では、需要家への電力の供給が不安定になる場合がある（商用電力系統より
も不安定である）。また、商用電力系統へ系統連系装置を接続した場合は、マイクログリ
ッドの様な電力系統の利点（例えば、電気料金等）を享受することができない。
【０００８】
本発明は上述の問題に鑑みて成された発明であり、需要家への電力の供給が安定しつつ
も、需要家に対して有利な電力系統を利用することができる系統連系装置を提供すること
を目的とする。
【課題を解決するための手段】
【０００９】
上記目的を達成するために、再生可能エネルギーから得られる直流電力を第１の電力系
統に同期する交流電力に変換し、当該交流電力を第１の電力系統へ重畳させた後負荷へ供
給するインバータ回路を備えた系統連系装置において、第２の電力系統に繋がり、かつこ
の第２の電力系統から得られる電力を前記直流電力に併合可能に変換して前記インバータ
回路へ供給すると共に、前記直流電力の少なくとも一部を第２の電力系統に同期する交流
電力に変換し、当該交流電力を第２の電力系統へ重畳可能に成す入出力回路を備えること
を特徴とする。
【００１０】
本発明の系統連系装置によれば、第２の電力系統（例えば、マイクログリッドなど）が
不安定になったとしても、第１の電力系統（例えば、商用電力系統）の電力を利用するこ
とができるため、需要家への電力の供給が安定しつつも、需要家に対して有利な電力系統
を利用することができる。
【００１１】
また、上述の発明において、前記入出力回路は前記直流電力と第２の電力系統とを繋げ
る双方向変換回路を有し、前記再生可能エネルギーから得られる直流電力をよりも前記負
荷の消費電力が大きい場合、前記双方向変換回路で第２の電力系等の交流電力を整流した
直流電力を前記インバータ回路へ出力し、前記再生可能エネルギーから得られる直流電力
よりも前記負荷の消費電力が小さい場合、この直流電力の少なくとも一部を前記双方向変
換回路で第２の電力系統へ重畳させることを特徴とする。
【００１２】
また、上述の発明において、前記インバータ回路は前段に直流昇圧回路を有してこの昇
圧後に直流電力の安定化を成す構成を備えることを特徴とする。
【００１３】
また、本発明の他の系統連系装置は、再生可能エネルギーから得られる直流電力を第１
の電力系統に同期する交流電力に変換し、当該交流電力を第１の電力系統へ重畳させた後
負荷へ供給するインバータ回路を備えた系統連系装置において、第２の電力系統に繋がり
、かつこの第２の電力系統から得られる電力を前記直流電力に併合可能に変換して前記イ
ンバータ回路へ供給すると共に、前記直流電力の少なくとも一部を第２の電力系統に同期
する交流電力に変換し、当該交流電力を第２の電力系統へ重畳可能に成す入出力回路と第
１の電力系統からの電力を前記入出力回路へ供給する変換回路を備えることを特徴とする
。
【００１４】
本発明の他の系統連系装置によれば、第２の電力系統（例えば、マイクログリッドなど
）が不安定になったとしても、第１の電力系統（例えば、商用電力系統）の電力を利用す
ることができるため、需要家への電力の供給が安定しつつも、需要家に対して有利な電力
系統を利用することができる。
【００１５】
また、上述の発明において、前記変換回路は前記インバータ回路を利用することを特徴
とする。
【発明の効果】
【００１６】
本発明によれば、需要家への電力の供給が安定しつつも、需要家に対して有利な電力系
統を利用することができる系統連系装置を提供することができる。
【図面の簡単な説明】
【００１７】
【図１】太陽光発電システムを示す概要図である。
【図２】系統連系装置を示す電気回路図である。
【図３】制御回路の動作のフローチャートを示す図である。
【発明を実施するための最良の形態】
【００１８】
以下、図面に基づき本発明の実施形態を詳述する。図１は太陽光発電システム１０を示
す概要図である。この図に示すように太陽電池１と系統連系装置２とを有する太陽光発電
システム１０が、商用電力系統３（第１の電力系統）とマイクログリッド５（第２の電力
系統）に接続されている。
【００１９】
マイクログリッドには、高出力の太陽光発電システム５１や風力発電システム５２など
の発電システムや電力を消費する需要家（工場５３、学校５４、住宅、店舗５５など）が
接続され、商用電力系統３とは別の閉じた小規模の電力系統を構成している。マイクログ
リッド内の発電システムは、需要家との間で電力の需要と供給がバランスするように発電
を行っている。本実施例では、太陽光発電システム１０は需要家に取り付けられている。
【００２０】
また、ここでは、マイクログリッド５は、再生可能エネルギーを利用した発電装置の普
及が進み、マイクログリッド５内での電力の利用料金（買電料金、売電料金）が商用電力
系統よりも有利になっている場合を想定する。また、ここでは、マイクログリッド５と商
用電力系統３は、同じ周波数（例えば、５０Ｈｚ、６０Ｈｚ）、同じ電圧（単相三線２０
０Ｖなど）である場合を想定する。
【００２１】
太陽電池１は太陽光（再生可能エネルギー）を直流電力に変換して出力する。太陽電池
１は、太陽電池セルを複数枚直列及び／又は並列に接続し、所望の直流電力を得られるよ
うに構成されている。
【００２２】
系統連系装置２は、昇圧回路２１（直流昇圧回路）、インバータ回路２２、入出力回路
２３、連系用リレー２４、制御回路２５を有している。図２は系統連系装置２を示す電気
回路図である。
【００２３】
昇圧回路２１は、インバータ回路２２の前段に設けられ、太陽電池１から得られる直流
電力を昇圧する。昇圧された太陽電池１から得られる直流電力はインバータ回路２２へ供
給される。昇圧回路２１は、リアクトル１１、ダイオード１２、スイッチ素子１３、コン
デンサ１４を有し、非絶縁型のチョッパ回路を構成している。
【００２４】
具体的には、リアクトル１１とダイオード１２が直列に接続され、リアクトル１１とダ
イオード１２の直列回路のリアクトル側が太陽電池１の正極端子に接続される。スイッチ
素子は、リアクトルとダイオード１２の接続点と太陽電池１の負極端子に接続される。コ
ンデンサ１４は、直列回路のダイオード側と太陽電池の負極端子に接続される。スイッチ
素子１３にはＩＧＢＴやＦＥＴのようなスイッチ素子を用いると良い。また、コンデンサ
１４には大容量のコンデンサが用いられ、昇圧後の電圧が安定化を成すように構成されて
いる。
【００２５】
昇圧回路２１は、スイッチ素子を周期定期に導通／遮断することにより、コンデンサ１
４の両端から昇圧された太陽電池１の直流電力を出力する。この際に、スイッチ素子１３
を周期定期に導通／遮断するデューティー比（導通時間／（導通時間+遮断時間））を変
更することにより、所望の昇圧比を得ることができる。出力された直流電力は、インバー
タ回路２２、及び入出力回路２３に供給される。
【００２６】
インバータ回路２２は、太陽電池１からから得られる直流電力を商用電力系統３に同期
する交流電力に変換する。そして、インバータ回路２２は、変換した交流電力を商用電力
系統３へ重畳させた後、商用電力系統３へ接続された負荷４へ供給する。
【００２７】
インバータ回路２２は、スイッチ素子とダイオードを逆並列に接続したスイッチ回路を
４つブリッジ接続したブリッジ回路４１と、ブリッジ回路４１の交流側に接続されたフィ
ルタ回路４２を有している。ブリッジ回路４１の直流側は昇圧回路２１のコンデンサ１４
（出力側）に接続される。インバータ回路２２は、ブリッジ回路４１のスイッチ素子を制
御回路２５の生成するＰＷＭ信号により周期的に導通／遮断することにより、入力された
直流電力を商用電力系統と同期した交流電力に変換してフィルタ回路４２から出力する。
【００２８】
入出力回路２３は、マイクログリッド５に繋がり、かつこのマイクログリッド５から得
られる電力を太陽電池１から得られる直流電力に併合可能に変換してインバータ回路２２
へ供給すると共に、太陽電池１から得られる直流電力の少なくとも一部をマイクログリッ
ド５に同期する交流電力に変換し、変換した交流電力をマイクログリッド５へ重畳可能に
成されている。
【００２９】
具体的には、入出力回路２３は、双方向回路２３ａ、及びインバータ回路２３ｂを有し
ており、双方向回路２３ａ、及びインバータ回路２３ｂにより太陽電池１から得られる直
流電力とマイクログリッド５とを繋げる双方向変換回路を構成している。
【００３０】
双方向回路２３ａは、昇圧回路２１とインバータ回路２３ｂとの間に接続されており、
昇圧回路２２から出力される直流電力をインバータ回路２３ｂへそのまま供給する。また
、双方向回路２３ａは、インバータ回路２３ｂから供給されるマイクログリッドの直流電
力を昇圧してインバータ回路２２へ供給する。
【００３１】
具体的には、双方向回路２３ａはリアクトル３１、ダイオード３２、スイッチ素子３３
、コンデンサ３４、及び開閉リレー３５を有している。リアクトル３１とダイオード３２
が直列に接続されて直列回路を成し、この直列回路のリアクトル３１側がインバータ回路
２３ｂの直流側の正極端子に接続される。また、スイッチ素子３３は、リアクトル３１と
ダイオード３２の接続点とインバータ回路２３ｂの負極端子とに接続される。コンデンサ
３４の一端は、インバータ回路２３ｂの直流側の正極端子に、コンデンサ３４の他端は、
インバータ回路２３ｂの直流側の負極端子に夫々接続されている。また、開閉リレー３５
は、リアクトル３１とダイオード３２の直列回路と並列に接続される。
【００３２】
インバータ回路２３ｂは、ブリッジ回路４１とフィルタ回路４２とを有するインバータ
回路２２と同様の構成のものを用いる。
【００３３】
太陽電池１から得られる直流電力をマイクログリッド５に供給する場合、双方向回路２
３ａは、開閉リレー３５を閉じスイッチ回路３３を遮断する。これにより、昇圧回路２１
の出力する直流電力が、リアクトル３１とダイオード３２の直列回路を迂回してそのまま
インバータ回路２３ｂに供給される。また、この場合、インバータ回路２３ｂは、ブリッ
ジ回路４１のスイッチ素子を制御回路２５の生成するＰＷＭ信号により周期的に導通／遮
断することにより、入力された直流電力をマイクログリッド５と同期した交流電力に変換
してフィルタ回路４２から出力する。このようにして、入出力回路２３は、太陽電池１か
ら得られる直流電力をマイクログリッド５に供給する。
【００３４】
マイクログリッド５から供給される電力をインバータ回路２２へ供給する場合、インバ
ータ回路２３ｂのブリッジ回路４１のダイオードによりマイクログリッド５の交流電力が
整流され、双方向回路２３ａに整流された直流電力が供給される。また、この場合、双方
向回路２３ａは、開閉リレー３５を開きスイッチ回路３３を周期的に導通／遮断する。こ
のように動作することにより双方向回路２３ａは、インバータ回路２３ｂから入力される
直流電力を昇圧してインバータ回路２２へ供給する非絶縁型のチョッパ回路として動作す
る。双方向回路２３ａもまた、昇圧回路２１と同様に、スイッチ素子３３を周期定期に導
通／遮断するデューティー比（導通時間／（導通時間+遮断時間））を変更することによ
り、所望の昇圧比を得ることができる。このようにして、入出力回路２３は、マイクログ
リッド５から供給される電力をインバータ回路２２へ供給する。
【００３５】
連系用リレー２４は、インバータ回路２２と商用電力系統３との間、及びインバータ回
路２３ｂとマイクログリッド５との間に設けられている。インバータ回路２２と商用電力
系統３との間に設けられた連系用リレー２４は、系統連系装置２と商用電力系統３との間
に電力のやり取りが無い場合には開かれ、電力のやり取りが有る場合には閉じられる。ま
た、インバータ回路２３ｂとマイクログリッド５との間に設けられている連系用リレー２
４も同様に、系統連系装置２とマイクログリッドとの間に電力のやり取りが無い場合に開
かれ、電力のやり取りが有る場合には閉じられる。
【００３６】
制御回路２５は、電圧センサや電流センサが検出する任意の箇所の電圧や電流を検出す
ることができ、検出した電圧や電流に基づいて、昇圧回路２１、インバータ回路２２、入
出力回路２３、連系用リレー２４の動作を制御する。
【００３７】
制御回路２５は、昇圧回路２１のデューティ比を、太陽電池１から得られる直流電力（
昇圧回路２１への入力電力）が最大になるように制御する。具体的には、昇圧回路２１へ
の入力電流と入力電圧とから、昇圧回路２１に入力される太陽電池１から得られる直流電
力を演算する。演算した直流電力が、前回演算した直流電力よりも大きい場合は、前回デ
ューティ比を変更した方と同じ方にデューティ比を変更する（前回デューティ比を低くし
た場合再度低くし、前回デューティ比を高くした場合は高くする）。また、逆に、前回演
算した直流電力よりも小さい場合は、前回デューティ比を変更した方と逆の方にデューテ
ィ比を変更する（前回デューティ比を低くした場合高くし、前回デューティ比を高くした
場合は低くする）。
【００３８】
制御回路２５は、インバータ回路２２のスイッチ素子を導通／遮断するためのＰＷＭ信
号を生成する。具体的には、制御回路２５は、インバータ回路２２の出力電流指令値Ｉｔ
を演算し、インバータ回路２２の出力電流が出力電流指令値Ｉｔに一致するようにインバ
ータ回路２２の出力電圧を出力するようなＰＷＭ信号を生成する。
【００３９】
制御回路２５は、太陽電池１から得られる直流電力をよりも負荷４の消費電力が大きい
場合、入出力回路２３（双方向変換回路）でマイクログリッド５の交流電力を整流した直
流電力をインバータ回路２２へ出力するように入出力回路２３を動作する。また、制御回
路２５は、太陽電池１から得られる直流電力よりも負荷４の消費電力が小さい場合、この
直流電力の少なくとも一部を入出力回路２３でマイクログリッド５へ重畳させるように動
作する。
【００４０】
これらの制御回路２５の動作について図面を用いて説明する。図３は制御回路の動作の
フローチャートを示す図である。制御回路２５は、負荷４の消費電力ＰＬを検出し（ステ
ップＳ１１）、太陽電池１から得られる直流電力ＰＰを検出する（ステップＳ１２）。負
荷の消費電力ＰＬの検出は、インバータ回路２２の出力する交流電力と商用電力系統３か
ら供給される交流電力とを用いた演算により行っても良いし、直接負荷の消費電力ＰＬを
検出できるようにしても良い。太陽電池１から得られる直流電力ＰＰは上述したように、
昇圧回路２１の入力電力を検出すると良い。
【００４１】
次に、制御回路２５は、直流電力ＰＰよりも消費電力ＰＬが大きいか否かを判定する（
ステップＳ１３）。直流電力ＰＰよりも消費電力ＰＬが大きい場合、上述したように、入
出力回路２３（双方向変換回路）でマイクログリッド５の交流電力を整流した直流電力を
インバータ回路２２へ出力するように入出力回路２３を動作して（ステップＳ１４）ステ
ップＳ１１へ戻る。
【００４２】
具体的に制御回路２５は、インバータ回路２３ｂのスイッチを全て遮断し、双方向回路
２３ａの開閉リレー３５を開き、双方向回路２３ａのスイッチ素子３３のスイッチング信
号を生成する。スイッチング信号は、双方向回路３１の出力する電流Ｉｄが目標電流Ｉｔ
ｄになるようなデューティ比を持つ信号が生成される。目標電流Ｉｔｄは、双方向回路２
３ａの出力側（昇圧回路側）の電圧Ｖｄを検出し、直流電力ＰＰと消費電力ＰＬとの差分
を電圧Ｖｄで除算することにより求めると良い。このようにすることで負荷４の消費電力
として足りない分がマイクログリッド５から負荷４へ供給される。尚、インバータ回路２
２の目標電流Ｉｔはマイクログリッドからインバータ回路２２へ供給される電力を加味し
て決められる（この電力の分、目標電流Ｉｔは増える）。
【００４３】
直流電力ＰＰよりも消費電力ＰＬが小さい場合、上述したように、太陽電池１から得ら
れる直流電力ＰＰの少なくとも一部を入出力回路２３でマイクログリッド５へ重畳させて
（ステップＳ１５）ステップＳ１１へ戻る。
【００４４】
具体的に制御回路２５は、双方向回路２３ａの開閉リレー３５を閉じ、双方向回路２３
ａのスイッチ素子３３を遮断し、インバータ回路２３ｂのスイッチ素子を導通／遮断する
ためのＰＷＭ信号を生成する。具体的には、制御回路２５は、インバータ回路２３ｂの出
力電流指令値Ｉｔｑを演算し、インバータ回路２３ｂの出力電流Ｉｑが出力電流指令値Ｉ
ｔｑに一致するようにインバータ回路２３ｂの出力電圧を出力するようなＰＷＭ信号を生
成する。尚、インバータ回路２２の目標電流Ｉｔは太陽電池から得られる直流電力の内マ
イクログリッドに供給された電力を加味して決められる（この電力の分、目標電流Ｉｔは
減る）。
【００４５】
以上のように、本実施形態によれば、マイクログリッド５に繋がり、かつこのマイクロ
グリッドから得られる電力を太陽電池１から得られる直流電力に併合可能に変換してイン
バータ回路２２へ供給すると共に、この直流電力の少なくとも一部をマイクログリッド５
に同期する交流電力に変換し、当該交流電力をマイクログリッド５へ重畳可能に成す入出
力回路を備える。このため、マイクログリッド５が不安定になったとしても、商用電力系
統５の電力を利用することができるため、需要家への電力の供給が安定しつつも、需要家
に対して料金体系の有利なマイクログリッド５を利用することができる。
【００４６】
また、本実施形態によれば、太陽電池１から得られる直流電力をよりも負荷４の消費電
力が大きい場合、双方向変換回路（入出力回路２３）でマイクログリッド５の交流電力を
整流した直流電力をインバータ回路２２へ出力している。このため、太陽電池１から得ら
れる直流電力とマイクログリッド５がから供給される電力で負荷４を賄うことができない
場合に商用電力系統５から電力を賄うことになる。これにより、最大限に需要家に対して
料金体系の有利なマイクログリッド５を利用することができる。
【００４７】
また、太陽電池１から得られる直流電力よりも負荷４の消費電力が小さい場合、この直流
電力の少なくとも一部を双方向変換回路でマイクログリッド５へ重畳させている。このた
め、料金体系の有利なマイクログリッド５に対して売電を行うことができる。
【００４８】
また、本実施形態によれば、マイクログリッド５から負荷４へ供給される電力は、入出
力回路２３により直流電力に変換された後に、インバータ回路２２により商用電力系統３
と同期した交流電力に変換されるため、マイクログリッド５と商用電力系統３との交流電
力が同期していなくてもマイクログリッド５から負荷４へ電力を供給することができる。
【００４９】
また、本実施形態によれば、太陽電池１から得られる直流電力よりも負荷４の消費電力
が小さい場合、足りない電力をマイクログリッド５から負荷４へ供給するようにし、マイ
クログリッド５の電力が商用電力系統５へ逆潮流しないようにしている。
【００５０】
以上、本発明の一実施形態について説明したが、以上の説明は本発明の理解を容易にす
るためのものであり、本発明を限定するものではない。本発明はその趣旨を逸脱すること
なく、変更、改良され得ると共に本発明にはその等価物が含まれることは勿論である。 
【００５１】
例えば、本実施形態において、商用電力系統５を第１の電力系統とした例を挙げたが、
第２の電力系統としたマイクログリッド５とは別のマイクログリッドを第１の電力系統と
しても良い。
【００５２】
また、例えば、本実施形態において、商用電力系統３の電力がマイクログリッド５に供
給されないようにすると良い。これにより、高い料金の商用電力系統５を低い料金のマイ
クログリッド５に売電して損をすることを防止することができる。
【００５３】
また、例えば、本実施形態において、第１の電力系統（商用電力系統３）よりも第２の
電力系統（マイクログリッド５）の方が売電料金が有利である前提で説明を行い、マイク
ログリッド５へ逆潮流するようにしていた。しかし、売電料金に逆転が有りうる場合、制
御回路２５は、第１の電力系統の売電料金、及び第２の電力系統へ逆潮流する場合の売電
料金の情報を入力し、売電料金の高いほうへ太陽電池１から得られる直流電力を逆潮流す
るようにしても良い。
【００５４】
また、例えば、本実施形態において、制御回路２５が、外部から太陽電池１から得られ
る直流電力をマイクログリッド５へ逆潮流させる指令を受信し、この逆潮流指令を受信し
た際に、入出力回路２３は太陽電池１から得られる直流電力の内所定量をマイクログリッ
ド５と同期する交流電力に変換して重畳しても良い。
【００５５】
これにより、マイクログリッド５内で電力不足になった場合でも、マイクログリッド５
側（外部）から送信される逆潮流指令に合わせて太陽電池１から得られる直流電力を逆潮
流することができるのでマイクログリッド５の電力供給の安定化に寄与することができる
。
【００５６】
また、これにより、マイクログリッド５内の店舗５５にてお金の代わりに電気による支
払いが認められているような場合、店舗５５側から逆潮流指令を出して電気を回収するこ
とができる。
【００５７】
また、例えば、本実施形態において、外部からマイクログリッド５の利用可能な電力量
を受信し、入出力回路２３は、利用可能な電力量についてマイクログリッド５から得られ
る電力を太陽電池１から得られる直流電力に併合可能に変換してインバータ回路２２へ供
給するようにしても良い。これにより、マイクログリッド５の電力を先に電力料金を支払
った上で利用することができる。また、これにより、マイクログリッド５内の店舗５５に
て買い物をしてポイントを得ることができ、このポイントをマイクログリッド５で利用可
能な電力量に変換することができる場合、制御回路２５は、このポイントに応じたマイク
ログリッド５の利用可能な電力量を受信し、マイクログリッド５の電力を利用することが
できる。
【００５８】
また、例えば、本実施形態において、第１の電力系統（商用電力系統３）の電力が第２
の電力系統（マイクログリッド５）に供給されないようにしていたが、第１の電力系統か
らの電力を入出力回路２３へ供給する変換回路を備えて、第１の電力系統の電力が第２の
電力系統に供給されるようにしても良い。
【００５９】
具体的には、インバータ回路２２と昇圧回路２１との間に、入出力回路２３の双方向回
路２３ａと同様の構成を設けることにより、インバータ回路２２と新たに設けられた双方
向回路とにより第１の電力系統からの電力を入出力回路へ供給する変換回路が構成される
。即ち、変換回路はインバータ回路を利用したものになる。
【００６０】
この様にすることにより、商用電力系統３の電力をマイクログリッド３に供給すること
ができるので、マイクログリッド３が不安定（電力不足）に成るのを防止することができ
る。
【符号の説明】
【００６１】
１      太陽電池
２      系統連系装置
３      商用電力系統（第１の電力系統）
４      負荷
５      マイクログリッド（第２の電力系統）
２１    昇圧回路
２２    インバータ回路
２３    入出力回路
２４    連系用リレー
２５    制御回路
５１    太陽光発電所
５２    風力発電所
５３    工場
５４    学校
５５    商店
【図１】
0005903661.tif 000002
【図２】
0005903661.tif 000003
【図３】
0005903661.tif 000004